(57)【要約】      （修正有）【課題】神経痛および、手荒れ、等の対策として自宅または、旅館・ビジネスホテル、等の洗面所でフキン・フェイスタオル、小物洗濯品の脱水として固定式小型脱水装置を提案する。【解決手段】洗浄したフキン・フェイスタオル、小物洗濯品、等を水道近くの壁に固定した固定式小型脱水装置の脱水バッケット４の中に直接入れて、電源スイッチで電源を入れて、脱水スイッチを操作する。脱水排水は脱水排水口から自宅台所の流し場および、旅館・ビジネスホテル、等の洗面所に流し、脱水バッケット４停止後に脱水バッケット４からフキン・フェイスタオル、小物洗濯品、等を取り出す。終了後は電源スイッチで切る。【選択図】図２
0003137789.tif 000002
【実用新案登録請求の範囲】
【請求項１】
水道近くの壁に遠心小型脱水装置を直接にネジで取り付けて固定させ、脱水排水をさせるが場所によっては取り付け時に金属板、金属パイプ、等を補強用治具として使用する固定式小型脱水装置。
【請求項２】
脱水バッケットの回転シャフトを大きく取り、より安定した回転軌道で脱水させ、脱水装置内に勾配を設けて脱水排水は脱水装置内に残存しないように施す固定式小型脱水装置。
【請求項３】
脱水排水の場所を考慮して脱水装置内の脱水排水口は可変式とする固定式小型脱水装置。
【請求項４】
小型化で脱水バッケットを安定的に動かすには多くの力が要り、脱水装置内の発熱を考慮して、特殊基板を使用しての放熱対策を施した固定式小型脱水装置。
【考案の詳細な説明】
【技術分野】
【０００１】本考案は、水道近くの壁に遠心小型脱水装置を直接にネジで取り付けて固定させ、脱水排水させる固定式小型脱水装置に関する。
【背景技術】
【０００２】高齢者および手に怪我・障害が生じている方、介護を受けている方および介護を必要とされる方が、使用時の安全性、簡単な作業性を最優先として、従来技術の遠心脱水装置を小型化して、水道近くの固定設置、安定的な遠心脱水構造、脱水排水構造、発熱対策、等を考慮した装置である。
【考案が解決しようとする課題】
【０００３】高齢者および手に怪我・障害が生じている方、介護を受けている方および介護を必要とされる方は、フキン・フェイスタオル等を絞っての水切りの際に、手の痛み・しびれ、等が発生する場合があり、特に冬場は水の冷たさでの神経痛および、手荒れの防止対策も兼ねての固定式小型脱水装置である。
【課題を解決するための手段】
【０００４】水道近くに小型脱水装置を固定させて、洗浄されたフキン・フェイススタオル、等を固定式小型脱水装置の脱水バッケットに入れて脱水させます。脱水排水は自宅台所流し場および、旅館・ビジネスホテル、等の洗面所に直接流す。
【考案の効果】
【０００５】本考案の固定式小型脱水装置を使用することによって、フキン・フェイスタオル、等を絞っての水切り作業がなくなり、水切りの際に発生しがちな、手の痛み・しびれ、等の苦痛が緩和される。
【考案を実施するための最良の形態】
【０００６】図１に示すように、小型脱水装置に設置してある金属板１の穴２にネジを入れて固定する固定式小型脱水装置である。【０００７】図２のフタ３を開けて、洗浄したフキン・フェイススタオル、等を脱水バッケット４に入れます。脱水バッケットのシャフト５を大きくして安定した回転軌道で脱水させて、脱水バッケットのシャフト５を覆う構造物６に勾配を設けて、脱水装置内に脱水排水が残存しないようにする。【０００８】図３の脱水排水口７は可変式して脱水された排水は、自宅台所流し場、旅館・ビジネスホテル、等の洗面所に流す。【０００９】使用時の安全性、簡単な作業性を最優先として、図１の脱水時のフタ開けセンサー８と、電源スイッチ９および図３の脱水スイッチ１０（４５秒（スイッチＯＮでブザー開始連絡）→終了（ブザー終了連絡））の防水性のタッチパネル使用とする。また、電源：ＡＣ１００Ｖ  ５０／６０Ｈｚ（クリップ式のアース線）とする。【０００１０】上記工程により完成した本考案の固定式小型脱水装置は、水道近くの壁に脱水装置を固定してフキン２〜３枚および、フェイスタオル１枚が脱水出来る装置であり、高齢者および手に怪我・障害が生じている方、介護を受けている方および介護を必要とされる方が自宅台所流し場で使用する。また、旅館・ビジネスホテル、等の洗面所にも小型脱水装置を固定出来るようにする。
【産業上の利用可能性】
【０００１１】１．高齢者および手に怪我・障害が生じている方。
２．手の痛み・しびれ、等で介護を受けている方または、介護を必要としている方。
３．旅館・ビジネスホテル、等の洗面所での小物洗濯品の脱水。
４．工場内・飲食店、等の小物洗濯品の脱水。
【図面の簡単な説明】
【０００１２】
【図１】本考案に係る固定式小型脱水装置を示した平面図である。
【図２】本考案に係る固定式小型脱水装置を示した断面図（１Ａ−２Ａ）である。
【図３】本考案に係る固定式小型脱水装置を示した表面図（１Ｂ−２Ｂ）である。
【符号の説明】
【０００１３】  １    金属板
２    金属板のネジ穴
３    フタ
４    脱水バッケット
５    脱水バッケットのシャフト
６    脱水バッケット構造物
７    脱水排水口
８    フタ開けセンサー
９    電源スイッチ  入／切
１０    脱水スイッチ
１１    ブレーキ
１２    脱水モータ
１３    本体（金属）
１４    本体（プラスチック）
【図１】
0003137789.tif 000003
【図２】
0003137789.tif 000004
【図３】
0003137789.tif 000005
【手続補正書】
【提出日】平成19年2月5日(2007.2.5)
【手続補正１】
【補正対象書類名】実用新案登録請求の範囲
【補正対象項目名】全文
【補正方法】変更
【補正の内容】
【実用新案登録請求の範囲】
【請求項１】
水道水近くの壁に遠心小型脱水装置を設置し、壁に直接にネジでネジ止めをして遠心小型脱水装置を固定させ脱水排水をする。遠心小型脱水装置を取り付ける際に、壁との距離がある場合は、補強用金属板を用意して直接に補強用金属板に遠心小型脱水装置を取り付けてネジで固定させ、補強用金属板は近くの壁にネジで固定する。凹凸の壁の場合は補強用金属板、金属パイプ、等の組み合せで遠心小型脱水装置を取り付けてネジで固定させて使用する固定式小型脱水装置。
【請求項２】
脱水バッケットの回転シャフトを大きく取り、より安定した回転軌道で脱水させ、脱水装置内に勾配を設けて脱水排水は脱水装置内に残存しないことを特徴とする請求項１記載の固定式小型脱水装置。
【請求項３】
脱水排水の場所を考慮して脱水装置内の脱水排水口は可変式を特徴とする請求項１記載の固定式小型脱水装置。
【請求項４】
小型化で脱水バッケットを安定的に動かすには多くの力が要り、脱水装置内の発熱を考慮して脱水モーター部の基板をグラット材基板の使用とする。
グラット材基板は流す電流の数値によって基板の銅箔厚みをコントロールすることが出来るので基板に負担掛からず、脱水モーター部の負荷を回避させることが出来る。また、銅箔と金属箔を直接に貼り合せしてあるので、グラット材基板の脱水モーター部に熱を溜めることなくグラット材基板から固定式小型脱水装置に放熱をさせ、放熱対策を特徴とする請求項１記載の固定式小型脱水装置。
【手続補正２】
【補正対象書類名】明細書
【補正の内容】
0003137789.tif 000006
【手続補正書】
【提出日】平成19年4月12日(2007.4.12)
【手続補正１】
【補正対象書類名】実用新案登録請求の範囲
【補正対象項目名】全文
【補正方法】変更
【補正の内容】
【実用新案登録請求の範囲】
【請求項１】
水道水近くの壁に遠心小型脱水装置を設置し、壁に直接にネジでネジ止めをして遠心小型脱水装置を固定させ脱水排水をする。遠心小型脱水装置を取り付ける際に、壁との距離がある場合は、補強用金属板を用意して直接に補強用金属板に遠心小型脱水装置を取り付けてネジで固定させ、補強用金属板は近くの壁にネジで固定する。凹凸の壁の場合は補強用金属板、金属パイプ、等の組み合せで遠心小型脱水装置を取り付けてネジで固定させて使用する固定式小型脱水装置。
【請求項２】
脱水バッケットの回転シャフトを大きく取り、より安定した回転軌道で脱水させ、脱水装置内に勾配を設けて脱水排水は脱水装置内に残存しないことを特徴とする請求項１記載の固定式小型脱水装置。
【請求項３】
脱水排水の場所を考慮して脱水装置内の脱水排水口は可変式を特徴とする請求項１記載の固定式小型脱水装置。
【請求項４】
小型化で脱水バッケットを安定的に動かすには多くの力が要り、脱水装置内の発熱を考慮して脱水モーター部の基板をグラット材基板の使用とする。
グラット材基板は流す電流の数値によって基板の銅箔厚みをコントロールすることが出来るので基板に負担掛からず、脱水モーター部の負荷を回避させることが出来る。また、銅箔と金属箔を直接に貼り合せしてあるので、グラット材基板の脱水モーター部に熱を溜めることなくグラット材基板から固定式小型脱水装置に放熱をさせ、放熱対策を特徴とする請求項１記載の固定式小型脱水装置。
【手続補正２】
【補正対象書類名】手続補正書
【補正対象項目名】手続補正２
【補正方法】削除
【補正の内容】
【手続補正書】
【提出日】平成19年6月18日(2007.6.18)
【手続補正１】
【補正対象書類名】実用新案登録請求の範囲
【補正対象項目名】全文
【補正方法】変更
【補正の内容】
【実用新案登録請求の範囲】
【請求項１】
遠心小型脱水装置に設けてある金属板のネジ穴を利用して、水道水近くの壁に直接ネジで遠心小型脱水装置を壁に固定設置させて脱水を目的として使用するにおいて、
（１）流し場に直接に脱水排水をさせる、
（２）壁と流し場の距離がある場合、若しくは凹凸の壁の場合は補強用金属板を用いて遠      心小型脱水装置をネジで直接に補強用金属板に取り付け、更にネジで補強用金属板      を壁に固定させて流し場に直接に脱水排水をさせる、
（３）更に距離がある場合は、遠心小型脱水装置が搭載している補強用金属板に金属板、      金属パイプ、等を利用して壁に固定させて流し場に直接に脱水排水をさせる、
以上からなる構造的な固定式小型脱水装置。
【請求項２】
脱水バッケットの回転シャフトを大きく取り、より安定した回転軌道で脱水させ、脱水装置内に勾配を設けて脱水排水は脱水装置内に残存しないことを特徴とする請求項１記載の固定式小型脱水装置。
【請求項３】
脱水排水の場所を考慮して脱水装置内の脱水排水口は可変式を特徴とする請求項１記載の固定式小型脱水装置。
【請求項４】
小型化で脱水バッケットを安定的に瞬時に作動させるには、多くの力が要り脱水装置内の発熱を考慮して脱水モーター部の配線プリント回路基板から、グラット材回路基板を使用するにおいて、
（１）グラット材基板は、流す電流の定数値によって回路基板製作時に銅箔厚みをコント      ロールすることが出来るので回路基板に負担掛からず、脱水モーター部の発熱の負      荷を回避させることが出来る、
（２）グラット材基板は、銅箔と金属箔を直接貼り合せしてあるので脱水モーター部のグ      ラット材基板内に熱を溜めることなく効率よく放熱を施すことを特徴とする、
以上からなる請求項１記載の固定式小型脱水装置。